(57)【要約】【目的】消費電力を極力少なくしつつ、視聴履歴情報発呼制御やスクランブル放送の鍵開けなどに必要なデータの取得確立を高めることができるディジタル放送受信装置を提供する。【構成】ディジタル放送を視聴していないとき（アナログ放送の受信時等）、サブＣＰＵ５の通電制御により、ディジタルチューナ１、切替スイッチ２、デマルチプレクサ４への通電が実行される。スイッチ２はデマルチプレクサ４側に切り替えられる。サブＣＰＵ５は、視聴履歴発呼制御情報を検出して内蔵メモリに保持した後、チューナ１、スイッチ２、デマルチプレクサ４への通電を停止する。そして、視聴履歴発呼日時が到来しときには、ＣＰＵ（ＯＳＤ内蔵）６、ＣＡモジュール１０、モデム９への通電を行う。ＣＰＵ６は、ＩＣカード１０Ａから視聴履歴情報を読み出し、モデム９を動作させて視聴履歴情報を送出する。【選択図】　　　　　　　　図１
2004056227.tif 000002
【特許請求の範囲】
【請求項１】
ディジタル放送波を受信して各種データを分離取得するように構成されたディジタル放送受信装置において、有料放送の契約を行っているかどうかを示す設定情報の入力を受け付ける手段と、有料放送の契約を行っていない設定の下では、視聴履歴情報発呼制御に必要なデータをディジタル放送波から分離取得するための取得機能部分をディジタル放送非視聴時に起動させる制御手段と、を備えたことを特徴とするディジタル放送受信装置。
【請求項２】
請求項１に記載のディジタル放送受信装置において、視聴履歴情報発呼制御に必要なデータを取得した後、前記取得機能部分の起動を停止し、視聴履歴情報発呼制御の到来時に視聴履歴情報発呼に必要な通信機能部分の起動を行わせ、視聴履歴情報発呼後には、再び前記取得機能部分を起動させるように構成されたことを特徴とするディジタル放送受信装置。
【請求項３】
ディジタル放送波を受信して各種データを分離取得するように構成されたディジタル放送受信装置において、有料放送の契約を行っているかどうかを示す設定情報の入力を受け付ける手段と、有料放送の契約を行っている設定の下では、少なくともスクランブルを解くための鍵データをディジタル放送波から分離取得して保持するための機能部分をディジタル放送非視聴時に起動させる制御手段と、を備えたことを特徴とするディジタル放送受信装置。
【発明の詳細な説明】
【０００１】
この発明は、ディジタル放送を受信するディジタル放送受信装置に関する。
【０００２】
【従来の技術】
衛星や地上波を用いたディジタル放送を受信するディジタル放送受信装置は、専用のアンテナや地上波用アンテナを通して受け取った複数の放送波のなかから任意の放送波をチューナによって選択し、この選択した放送波に含まれる複数のチャンネルのなかから任意のチャンネルをデマルチプレクス処理によって選択し、この選択したチャンネルのディジタル信号を取り出し、これをデコードすることによって映像・音声信号を出力することができる。また、このようなディジタル放送の受信と共に、従来からのアナログ放送の受信も行える機能を付加することが可能である。
【０００３】
ところで、ディジタルテレビ放送においては、視聴履歴情報発呼制御やスクランブル放送の鍵開けなどに必要なＥＭＭ（Ｅｎｔｉｔｌｅｍｅｎｔ　Ｍａｎａｇｅｍｅｎｔ　Ｍｅｓｓａｇｅ）やＥＣＭ（Ｅｎｔｉｔｌｅｍｅｎｔ　Ｃｅｎｔｒａｌ　Ｍｅｓｓａｇｅ）といったデータが放送波に載せられるが、何時の時点で放送波に載せられるのかは受信機側では分からないため、例えば、アナログ放送の受信中においてもディジタル放送受信部全体への通電を行うようにし、上記データを取得できる確率を上げるようにしている。
【０００４】
【発明が解決しようとする課題】
しかしながら、ディジタル放送受信部全体への通電を行うと、ＥＭＭやＥＣＭといったデータの取得に必要ではない回路にまで電力供給が行われ、ディジタル放送受信装置の消費電力が増大してしまう。
【０００５】
この発明は、上記の事情に鑑み、消費電力を極力少なくしつつ、視聴履歴情報発呼制御やスクランブル放送の鍵開けなどに必要なデータの取得確率を高めることができるディジタル放送受信装置を提供することを目的とする。
【０００６】
【課題を解決するための手段】
この発明のディジタル放送受信装置は、上記の課題を解決するために、ディジタル放送波を受信して各種データを分離取得するように構成されたディジタル放送受信装置において、有料放送の契約を行っているかどうかを示す設定情報の入力を受け付ける手段と、有料放送の契約を行っていない設定の下では、視聴履歴情報発呼制御に必要なデータをディジタル放送波から分離取得するための取得機能部分をディジタル放送非視聴時に起動させる制御手段と、を備えたことを特徴とする。
【０００７】
上記の構成であれば、有料放送の契約を行っていない設定の下では、ディジタル放送非視聴時に、視聴履歴情報発呼制御に必要なデータをディジタル放送波から分離取得するための取得機能部分が起動され、消費電力を極力少なくしつつ、有料放送の契約を行っていない場合にも必要とされる視聴履歴情報発呼制御用データを取得して視聴履歴情報発呼制御を実行することができる。
【０００８】
視聴履歴情報発呼制御に必要なデータを取得した後、前記取得機能部分の起動を停止し、視聴履歴情報発呼制御の到来時に視聴履歴情報発呼に必要な通信機能部分の起動を行わせ、視聴履歴情報発呼後には、再び前記取得機能部分を起動させるように構成されているのがよい。これによれば、視聴履歴情報発呼実行時までの電力消費を更に抑制することができる。
【０００９】
また、この発明のディジタル放送受信装置は、ディジタル放送波を受信して各種データを分離取得するように構成されたディジタル放送受信装置において、有料放送の契約を行っているかどうかを示す設定情報の入力を受け付ける手段と、有料放送の契約を行っている設定の下では、少なくともスクランブルを解くための鍵データをディジタル放送波から分離取得して保持するための機能部分をディジタル放送非視聴時に起動させる制御手段と、を備えたことを特徴とする。
【００１０】
上記の構成であれば、有料放送の契約を行っている設定の下では、ディジタル放送非視聴時に、鍵データをディジタル放送から取得するための機能部分が起動され、消費電力を極力少なくしつつ、有料放送の契約を行っている場合に必要とされる鍵データを取得して有料放送の即時視聴を実現することができる。
【００１１】
【発明の実施の形態】
以下、この発明の実施形態を図１乃至図３に基づいて説明する。図１及び図２ではアナログ放送及びディジタル放送の両方を受信できる放送受信装置を例示している（なお、アナログ放送受信部については省略している）。また、図１では主要機能部が複数のＩＣチップから成る構成を例示し、図２では主要機能部が１チップ化されて成る構成を例示している。
【００１２】
図１において、ディジタルチューナ１は、復調回路、逆インタリーブ回路、誤り訂正回路などを備えることにより、受信選択したディジタル変調信号を復調してトランスポートストリームを出力する。
【００１３】
切替スイッチ２は、チューナ１から出力されるトランスポートストリームを受け取り、ビデオデコーダ（ＤＥＭＵＸ内蔵）３又はデマルチプレクサ（ＤＥＭＵＸ）４のいずれかに供給する。
【００１４】
ビデオデコーダ（ＤＥＭＵＸ内蔵）３は、チューナ１から出力されるトランスポートストリームを、ＭＰＥＧ２（Ｍｏｖｉｎｇ　Ｐｉｃｔｕｒｅ　Ｅｘｐｅｒｔｓ　Ｇｒｏｕｐ２）のビデオストリーム、オーディオストリーム、及びＰＳＩ／ＳＩ（Ｐｒｏｇｒａｍ　Ｓｐｅｃｉｆｉｃ　Ｉｎｆｏｒｍａｔｉｏｎ／Ｓｅｒｖｉｃｅ　Ｉｎｆｏｒｍａｔｉｏｎ）などの付属情報に分離する。また、ビデオデコーダ（ＤＥＭＵＸ内蔵）３は、ビデオストリームに対してデコードを行うビデオデコーダ、及びオーディオストリームに対してデコードを行うオーディオデコーダを備える。ビデオデコーダは、入力された可変長符号を復号して量子化係数や動きベクトルを求め、逆ＤＣＴ変換や動きベクトルに基づく動き補償制御などを行う。オーディオデコーダは、入力された符号化信号を復号して音声データを生成する。デコードにより生成された映像データはＣＰＵ（ＯＳＤ内蔵）６に出力され、音声データは音声処理部７に出力される。また、ビデオデコーダ（ＤＥＭＵＸ内蔵）３は、ＰＳＩ／ＳＩ等の付属情報ををＣＰＵ（ＯＳＤ内蔵）６に供給する。なお、前述のごとくトランスポート・ストリームには複数のチャンネルが多重化されており、このなかから任意のチャンネルを選択するための処理は、前記ＰＳＩ／ＳＩから任意のチャンネルがトランスポート・ストリーム中でどのパケットＩＤで多重化されているかといったデータを取り出すことで可能となる。また、トランスポート・ストリームの選定（トランスポンダの選定）もＰＳＩ／ＳＩの情報に基づいて行うことができる。
【００１５】
ＣＰＵ（ＯＳＤ内蔵）６は、ＯＳＤ（オンスクリーンディスプレイ）回路や加算回路を内蔵している。ＯＳＤ回路は、ＣＰＵから出力指示された文字情報や色情報に基づく映像データを生成して加算回路に出力する。加算回路は前記映像データをビデオデコーダ（ＤＥＭＵＸ内蔵）３から出力される受信映像データに組み込み、映像処理部８に出力する。映像処理部８は映像データを受け取ってＤ／Ａ変換を行い、例えばコンポジット映像信号に変換する。音声処理部７は、ビデオデコーダ（ＤＥＭＵＸ内蔵）３から出力された音声データを受け取ってＤ／Ａ変換を行い、例えば右（Ｒ）音のアナログ信号及び左（Ｌ）音のアナログ信号を生成する。
【００１６】
更に、ＣＰＵ（ＯＳＤ内蔵）６は、ＰＳＩ／ＳＩにおける番組情報やＣＡ（Ｃｏｎｄｉｔｉｏｎａｌ　Ａｃｃｅｓｓ）情報を取得する。ＣＡ情報には有料番組を視聴可能にするための鍵関連情報であるＥＭＭ（Ｅｎｔｉｔｌｅｍｅｎｔ　Ｍａｎａｇｅｍｅｎｔ　Ｍｅｓｓａｇｅ）やＥＣＭ（Ｅｎｔｉｔｌｅｍｅｎｔ　Ｃｅｎｔｒａｌ　Ｍｅｓｓａｇｅ）が含まれる。ＣＡモジュール１０に装填されたＩＣカード１０Ａには、鍵関連情報や番組毎に課金対象となるＰＰＶ（ペイ・パー・ビュー）番組のなどの視聴履歴が格納される。ＣＰＵ（ＯＳＤ内蔵）６は、ＣＡモジュール１０を介したＩＣカード１０Ａとの間での情報送受の制御やモデム９の制御等も行う。
【００１７】
デマルチプレクサ（ＤＥＭＵＸ）４は、チューナ１から出力されるトランスポートストリームからＰＳＩ／ＳＩなどの付属情報（特にＥＭＭにおける視聴履歴発呼制御情報）を分離してサブＣＰＵ５に供給する。
【００１８】
サブＣＰＵ５は、前述のＥＭＭにおける視聴履歴発呼制御情報と内蔵カウンターとによる計時制御、電源供給切替回路１４による各機能ブロックへの電源供給制御、切替スイッチ２の切替制御、ＣＰＵ（ＯＳＤ内蔵）６との間での情報送受処理、アナログ放送用ＣＰＵとの間での情報送受処理等を行う。これら処理の内容については、後で詳述する。
【００１９】
リモコン送信機１３は、当該放送受信装置に指令を送出するための送信機である。このリモコン送信機１０に設けられた図示しないキーを操作すると、そのキーに対応した指令を意味する信号光（リモコン信号）が図示しない発光部から送出される。リモコン受光部１２は、前記信号光を受光し、これを電気信号に変換してアナログ放送用ＣＰＵ１１に与える。
【００２０】
アナログ放送用ＣＰＵ１１は、リモコン送信機１０を用いたユーザ指示を検出し、基本的にはアナログ放送に対する指示については自身で処理し、ディジタル放送に対する指示については、サブＣＰＵ５へ制御を委ねるようになっている。ここで、ユーザはリモコン送信機１０を用いてメニュー画面を呼び出し、このメニュー画面のなかの「省エネモード設定」といった項目を選択すると、図３に示すような省エネモードの選択入力画面が表示され、この画面上においてモード選択を行うことができる。省エネモード１は有料番組を契約していない場合に選択し、省エネモード２は有料番組を契約している場合に選択することになる。この選択情報はアナログ放送用ＣＰＵ１１からサブＣＰＵ５へ与えられ、サブＣＰＵ５は上記選択に応じた制御を行う。なお、この実施形態では、アナログ放送視聴時においても、サブＣＰＵ５へは常時通電が行われるようにしている。
【００２１】
［省エネモード１が選択された場合の制御］
ディジタル放送を視聴していないとき（アナログ放送の受信時やＶＴＲの視聴時等）、サブＣＰＵ５の通電制御により、ディジタルチューナ１、切替スイッチ２、デマルチプレクサ（ＤＥＭＵＸ）４への通電が実行される。切替スイッチ２においては、デマルチプレクサ（ＤＥＭＵＸ）４へトランスポートストリームが供給されるように切り替えられる。サブＣＰＵ５は、デマルチプレクサ（ＤＥＭＵＸ）４にて分離された付属情報のなかのＥＭＭにおける視聴履歴発呼制御情報を検出すると、これを図示しない内蔵メモリに保持する。サブＣＰＵ５は視聴履歴発呼制御情報を内蔵メモリに保持した後、ディジタルチューナ１、切替スイッチ２、デマルチプレクサ（ＤＥＭＵＸ）４への通電を停止する。そして、視聴履歴発呼制御情報で示される日時が到来したかどうかを内蔵カウンターにて判断し、日時が到来したときには、ＣＰＵ（ＯＳＤ内蔵）６、ＣＡモジュール１０、モデム９への通電を行い、視聴履歴発呼時到来をＣＰＵ（ＯＳＤ内蔵）６に知らせる。ＣＰＵ（ＯＳＤ内蔵）６は、ＣＡモジュール１０を介してＩＣカード１０Ａから視聴履歴情報を受け取り、モデム９を動作させて予め設定してある電話番号（課金センター）へ電話をかけて視聴履歴情報を送出する。かかる処理の後、再び、ディジタルチューナ１、切替スイッチ２、デマルチプレクサ（ＤＥＭＵＸ）４への通電状態を形成する。
【００２２】
［省エネモード２が選択された場合の制御］
ディジタル放送を視聴していないとき（アナログ放送の受信時やＶＴＲの視聴時等）、サブＣＰＵ５の通電制御により、ディジタルチューナ１、切替スイッチ２、デマルチプレクサ（ＤＥＭＵＸ）４、ＣＰＵ（ＯＳＤ内蔵）６、ＣＡモジュール１０への通電が実行される。切替スイッチ２においては、デマルチプレクサ（ＤＥＭＵＸ）４へトランスポートストリームが供給されるように切り替えられる。サブＣＰＵ５は、デマルチプレクサ（ＤＥＭＵＸ）４にて分離された付属情報のなかのＥＭＭ及びＥＣＭ（有料放送視聴のための鍵情報）を取得すると、これをＣＰＵ（ＯＳＤ内蔵）６に与える。ＣＰＵ（ＯＳＤ内蔵）６は、ＣＡモジュール１０を介してＩＣカード１０ＡにＥＭＭ及びＥＣＭを送出する。その後も、ディジタルチューナ１、切替スイッチ２、デマルチプレクサ（ＤＥＭＵＸ）４、ＣＰＵ（ＯＳＤ内蔵）６、ＣＡモジュール１０への通電状態を維持し、ＥＭＭ及びＥＣＭの到来を待つ。なお、ＥＭＭ及びＥＣＭの到来を待つ状態をそのまま継続するのではなく、暫く間をおいて当該状態を形成するようにしてもよい。
【００２３】
次に、図２の構成のディジタル放送受信装置について説明していく。この図２のディジタル放送受信装置では、ＩＣ１５は図１に示したＣＰＵ（ＯＳＤ内蔵）６及びビデオデコーダ（ＤＥＭＵＸ内蔵）３の機能部を備えるものであり、機能部ごとにスリープ状態を設定することができる。どの機能部をスリープ状態とするかは、サブＣＰＵ５からのモード通知（省エネモード１ｏｒ２）等に基づいてＩＣ１５が実行するものとする。
【００２４】
［省エネモード１が選択された場合の制御］
ディジタル放送を視聴していないとき（アナログ放送の受信時やＶＴＲの視聴時等）、サブＣＰＵ５の通電制御によってディジタルチューナ１への通電が行われると共に、サブＣＰＵ５によるＩＣ１５へのモード通知によって、ＩＣ１５におけるＤＥＭＵＸ部１５ａ、通信部１５ｂが起動される（その他はスリープ）。ＩＣ１５では、ＤＥＭＵＸ部１５ａを経て分離された付属情報のなかのＥＭＭにおける視聴履歴発呼制御情報が通信部１５ｂを介してサブＣＰＵ５に供給され、サブＣＰＵ５は視聴履歴発呼制御情報を内蔵メモリに保持する。サブＣＰＵ５が視聴履歴発呼制御情報を取得すると、ディジタルチューナ１への通電を停止すると共にＩＣ１５へ通知を行う。この通知により、ＩＣ１５におけるＤＥＭＵＸ部１５ａ及び通信部１５ｂはスリープ状態となる。そして、サブＣＰＵ５は、視聴履歴発呼制御情報で示される日時が到来したかどうかを内蔵カウンターにて判断し、日時が到来したときには、日時到来をＩＣ１５に通知すると共に、ＣＡモジュール１０及びモデム９への通電を行う。ＩＣ１５は上記通知を受け取ると、通信部１５ｂ、ＣＡモジュール制御部１５ｃ、モデムインターフェイス１５ｄを動作させ（他はスリープ）、ＣＡモジュール１０を介してＩＣカード１０Ａから視聴履歴情報を受け取り、モデム９を動作させて予め設定してある電話番号（課金センター）へ電話をかけて視聴履歴情報を送出する。かかる処理の後、再び、ディジタルチューナ１、ＩＣ１５におけるＤＥＭＵＸ部１５ａ、通信部１５ｂを起動させ（その他はスリープ）、ディジタル放送波から視聴履歴発呼制御情報を取得する状態を形成する。
【００２５】
［省エネモード２が選択された場合の制御］
ディジタル放送を視聴していないとき（アナログ放送の受信時やＶＴＲの視聴時等）、サブＣＰＵ５の通電制御によってディジタルチューナ１への通電が行われると共に、サブＣＰＵ５によるＩＣ１５へのモード通知によって、ＩＣ１５におけるＤＥＭＵＸ部１５ａ、通信部１５ｂ、及びＣＡモジュール制御部１５ｃが起動される（その他はスリープ）。ＩＣ１５では、ＤＥＭＵＸ部１５ａを経て分離されたＥＭＭ及びＥＣＭ（有料放送視聴のための鍵情報）がＣＡモジュール制御部１５ｃを介してＩＣカード１０Ａに送出される。その後も、ディジタルチューナ１への通電、ＩＣ１５のＤＥＭＵＸ部１５ａ、通信部１５ｂ、及びＣＡモジュール制御部１５ｃの起動状態が維持され（その他はスリープ）、ＥＭＭ及びＥＣＭの到来を待つ。
【００２６】
【発明の効果】
以上説明したように、この発明によれば、有料放送の契約を行っているかどうかを示す設定情報に基づいてきめ細かな電力制御を行うので、消費電力を極力少なくしつつ、視聴履歴情報発呼制御やスクランブル放送の鍵開けなどに必要なデータの取得確率を高めることができるという効果を奏する。
【図面の簡単な説明】
【図１】この発明の実施形態の放送受信装置を示したブロック図である。
【図２】この発明の実施形態の放送受信装置の他の例を示したブロック図である。
【図３】省エネモード選択画面を示した説明図である。
【符号の説明】
１　　ディジタルチューナ
２　　切替スイッチ
３　　ビデオデコーダ（ＤＥＭＵＸ内蔵）
４　　ＤＥＭＵＸ
５　　サブＣＰＵ
６　　ＣＰＵ（ＯＳＤ内蔵）
１０　ＣＡモジュール
１０Ａ　ＩＣカード
１５　ＩＣ
１５ａＤＥＭＵＸ部
１５ｂ通信部
１５ｃＣＡモジュール制御部
１５ｄモデムインターフェイス
【図１】
2004056227.tif 000003
【図２】
2004056227.tif 000004
【図３】
2004056227.tif 000005